(57)【要約】【課題】通信ネットワークを通じた外部サーバへのアクセスに面倒な操作を必要とせず、また、その外部サーバから受信したデータの処理を一律に印字することなく、記録紙の無駄使いをなくすことのできる通信装置を提供する。【解決手段】複数の通信アドレスに対応させて、その通信アドレスに対するアクセス周期、その後の処理手順を登録したアドレステーブルＴを備えており、各々のアクセス周期で通信アドレスをアクセスし、対応する処理手順に従った処理をする構成とした。【選択図】図１
2004023699.tif 000002
【特許請求の範囲】
【請求項１】
通信ネットワークに接続可能な通信装置において、
複数の通信アドレスに対応させて、その通信アドレスに対するアクセス周期、その後の処理手順を登録したアドレステーブルを備えており、各々のアクセス周期で上記通信アドレスをアクセスし、対応する処理手順に従った処理をする構成とした通信装置。
【請求項２】
請求項１において、
上記アドレステーブルには、それぞれの通信アドレスに対するアクセス後、そのアドレスを有する装置からデータ受信をし、即時プリントするか、一旦表示後、プリント指示に対しプリントするかを処理手順として登録した構成とした通信装置。
【請求項３】
請求項２において、
上記処理手順として、データ受信に対して、一旦表示後、プリント指示に対しプリントすることを登録した際には、その手順実行時には、表示されているデータのうちページ単位でのプリントをする構成とした通信装置。
【発明の詳細な説明】
【０００１】
【発明の属する技術分野】
本発明は、ファクシミリ装置などの通信装置の改良に関する。
【０００２】
【従来の技術】
従来より、ファクシミリ装置などの通信装置が広く利用されており、近時においては、ネットワーク対応型の装置が普及してきており、所望の通信アドレスの外部サーバを、インターネットなどの通信ネットワークを通じてアクセスし、そのサーバより各種データを受信し、印字出力するようにしている。
【０００３】
【発明が解決しようとする課題】
ところが、上記した従来の通信装置では、外部サーバにアクセスするには、そのたびに、ユーザが、その外部サーバの通信アドレスの指定を含めたアクセス操作をすることが必要なので面倒であった。
【０００４】
また、外部サーバから受信したデータは、常に印字出力されるため、ユーザにとっては不必要なデータまでもが印字出力されることとなり、記録紙の無駄使いとなっていた。
【０００５】
本発明は、上記事情を考慮してなされたものであり、通信ネットワークを通じた外部サーバへのアクセスに面倒な操作を必要とせず、また、その外部サーバから受信したデータの処理を一律に印字することなく、記録紙の無駄使いをなくすことのできる通信装置を提供することを目的としている。
【０００６】
【課題を解決するための手段】
上記目的を達成するために、本発明の請求項１に記載の通信装置では、複数の通信アドレスに対応させて、その通信アドレスに対するアクセス周期、その後の処理手順を登録したアドレステーブルを備えており、各々のアクセス周期で通信アドレスをアクセスし、対応する処理手順に従った処理をする構成とした。
【０００７】
請求項２に記載の通信装置では、アドレステーブルには、それぞれの通信アドレスに対するアクセス後、そのアドレスを有する装置からデータ受信をし、即時プリントするか、一旦表示後、プリント指示に対しプリントするかを処理手順として登録した構成とした。
【０００８】
請求項３に記載の通信装置では、処理手順として、データ受信に対して、一旦表示後、プリント指示に対しプリントすることを登録した際には、その手順実行時には、表示されているデータのうちページ単位でのプリントをする構成とした。
【０００９】
【発明の実施の形態】
以下に、本発明の実施の形態について、図面とともに説明する。
【００１０】
図１は、本発明の通信装置の要部構成の一例を示す図である。なお、ここでは、通信装置としてファクシミリ装置Ｆの構成を示しているが、本発明はこの例に限られず、インターネットなどの通信ネットワークに接続可能な装置であれば何を用いてもよい。
【００１１】
このファクシミリ装置Ｆは、このファクシミリ装置Ｆを制御するＭＰＵ１と、電話回線Ｌに対する接続制御をするＮＣＵ２と、ファクシミリ通信に必要な各種信号を変復調するモデム３と、原稿を読み取り画像データを形成するスキャナ４と、画像データを予めセットされた記録紙に印字出力するプリンタ５と、このファクシミリ装置Ｆが動作するために必要な各種プログラムなどを記憶するＲＯＭ６と、ファクシミリ装置Ｆの初期設定情報などを記憶するＲＡＭ７と、画像データを一時格納する画像メモリ８と、画像データの符号化、復号をするコーデック９と、液晶画面などで構成される表示部１０と、各種操作キーなどで構成される操作部１１と、通信ネットワークの１つであるインターネットＮ（図２参照）に接続するためのインタフェース１２とを備える。
【００１２】
このファクシミリ装置Ｆにおいては、ＲＡＭ７には、図２に示すアクセステーブルＴを備えている。このものでは、外部サーバの通信アドレス、ここでは、ＵＲＬ毎に、アクセス周期（ここでは１日、１週間、５日）と、アクセス後の処理手順とが対応して登録されている。
【００１３】
処理手順としては、アクセス後、そのアドレスを有する装置からデータ受信をし、即時プリントするか、一旦表示後、プリント指示に対しプリントするかを登録している。なお、これら以外の処理手順を登録し、後述の処理（図３参照）によって実行できるようにしてもよい。
【００１４】
このような構成によれば、図３に示す処理を実行できる。すなわち、ファクシミリ装置Ｆは、アドレステーブルのＵＲＬ毎に、現在時刻と前回アクセスした時刻との差を求め（１００）、対応する周期に達していれば（１０１）、そのＵＲＬをアクセスし、当該外部サーバよりデータ受信をする（１０２）。
【００１５】
その後、そのＵＲＬに対応して、即プリントの設定がなされていれば（１０３）、受信データをプリントする（１０４）。一方、即プリントの設定がなされておらず、終了指示操作がなされたときには（１０５）、受信データをページ単位で表示する（１０６）。
【００１６】
そして、プリントすべきページ指定されたプリント指示がなされれば（１０７）、当該ページについてのデータのみをプリントする（１０８）。
【００１７】
【発明の効果】
以上の説明からも理解できるように、本発明の請求項１に記載の通信装置では、外部サーバに対し、各々のアクセス周期で通信アドレスをアクセスし、対応する処理手順に従った処理をするので、通信ネットワークを通じた外部サーバへのアクセスに面倒な操作を必要とせず、また、その外部サーバから受信したデータの処理を一律に印字することなく、記録紙の無駄使いをなくすことができる。
【００１８】
請求項２に記載の通信装置では、アドレステーブルには、それぞれの通信アドレスに対するアクセス後、そのアドレスを有する装置からデータ受信をし、即時プリントするか、一旦表示後、プリント指示に対しプリントするかを処理手順として登録した構成としたので、受信データ全てが必要となる外部サーバに対しては即プリント、そうではない場合には、一旦表示後プリントを設定すれば、必要最小限のデータのみプリントされることになり、必要最小限の記録紙しか用いられない。
【００１９】
したがって、記録紙の無駄使いを減らすことができる。
【００２０】
請求項３に記載の通信装置では、処理手順として、データ受信に対して、一旦表示後、プリント指示に対しプリントすることを登録した際には、その手順実行時には、表示されているデータのうちページ単位でのプリントをするので、ユーザが必要に応じて、プリントされたいページのみをプリントさせることができ、必要最小限の記録紙で必要なデータのみをプリントできる。
【図面の簡単な説明】
【図１】本発明の通信装置の要部構成の一例を示す図である。
【図２】本発明の通信装置の使用形態を示す図である。
【図３】本発明の通信装置の動作について説明するためのフローチャートを示す図である。
【符号の説明】
Ｆ・・・ファクシミリ装置
Ｎ・・・インターネット
Ｔ・・・アクセステーブル
【図１】
2004023699.tif 000003
【図２】
2004023699.tif 000004
【図３】
2004023699.tif 000005